(57)【特許請求の範囲】
【請求項１】
吐出導管の槽内固定部に開設された側開型の連接口と、補助シール材を付設した側開型のポンプ吐出口がガイドフックを介して離接自在に当接する着脱式水中ポンプにおいて、前記連接口のフランジ背面を上傾状の傾斜面となし、該傾斜面における上下方向および左右方向に離隔した位置にそれぞれ当接座を配設し、ポンプ吐出口の上方より導出され左右に分岐して前記フランジ背面の左右上方から下方部まで導下された二股状ガイドフックを有し、該二股状ガイドフック裏面を前記フランジ背面の上傾状傾斜面と対向する下傾状の斜面となし、該下傾状傾斜面の上下両端には前記各当接座と対向する摺接部をそれぞれ配設し、且つ、各当接座もしくは各摺接部のいずれか一方又は双方を鉛直面構成となし、各当接座と各摺接部との接触時において上傾状傾斜面と下傾状傾斜面との対向面間隔に僅かな間隙を保有した状態により、吐出導管の連接口とポンプ吐出口とが当接されるよう構成したことを特徴とする、着脱式水中ポンプにおける当接面の漏れ止め機構。
【請求項２】
連接口のフランジ背面の上傾状傾斜面における当接座が、前記傾斜面の上下方向および左右方向に離隔した隅角部の４箇所に配設されたもであることを特徴とする、請求項１記載の着脱式水中ポンプにおける当接面の漏れ止め機構。
【請求項３】
連接口のフランジ背面の上傾状傾斜面における当接座が、前記傾斜面の上方向では左右方向に連なる当接座と下方部では左右両端方向に離隔する当接座との３箇所配設態様のもであることを特徴とする、請求項１記載の着脱式水中ポンプにおける当接面の漏れ止め機構。
【請求項４】
二股状ガイドフックの裏面における下傾状傾斜面の上端部の摺接面が左右方向に連なるように形成されたものであることを特徴とする、請求項１記載の着脱式水中ポンプにおける当接面の漏れ止め機構。
【発明の詳細な説明】
【技術分野】
【０００１】
本発明は、着脱式水中ポンプにおける当接面の漏れ止め機構に関するものである。
【背景技術】
【０００２】
着脱式水中ポンプの接合面は一般的に、ポンプ吐出口の上方部に付設されたガイドフックが、吐出管の槽内固定部（着脱ベンド）の連接口のフランジ上縁部へ傾斜状に係止し、該係止部を支点としてポンプ自体の重量により上記接合面を強固に閉合させようとしている（例えば、特許文献１参照）。しかし、従来のケーシングが鋳鉄製で大重量の水中ポンプと異なり、樹脂化等により軽量化された今日の着脱式水中ポンプでは、駆動時の吐出圧の反力によりガイドフックの係止部を支点としてポンプが傾いて接合面の下方部が面開きし、接合面が金属同士の接触構造であるため、僅かな面開きであってもその面開きした部位から水漏れを生じるおそれがある。また、ガイドフックが斜面を摺り上がってポンプ吐出口と連接口との孔心にズレを生じるおそれもある。
【０００３】
接合面の水密性を保有させるため、ポンプ吐出口に弾性体のシール部材を装着しようとの提案もなされている（例えば、特許文献２−３参照）。しかし、吐出導管の連接口を上縁部へガイドフックが係止するという構造が前提となっているため、吐出圧の反力により接合面が下方から面開きして弾性体のシール部材は接合面に均一に押接できなくなり、密着性の弱くなった部分から集中的に水漏れが生じることになるため、水漏れの抜本的な防止策とはなり得ない。
【０００４】
接合面の下方部から面開きすることを阻止する手段として、ガイドフックの係止位置を水路中心高さよりも下方へ変更することも提案されている（例えば、特許文献４参照）。しかし、この構造により下方部では面開きしなくなるが、逆にポンプ自重と吐出圧の反力で接合面の上方部が面開きし、特許文献１の場合と同様に接合面が金属同士の接触構造であるため、僅かな面開きによってもその面開きした部位から水漏れを生じることになる。
【０００５】
このように、着脱式水中ポンプにおける接合面からの水漏れ防止策として有効な技術は未だ存在しないというのが現状である。
【特許文献１】特開平１０−２５９７９２号公報  （第１図）
【特許文献２】特開平８−２００２７８号公報  （第３図）
【特許文献３】特開平５−１２６０８４号公報  （第３図）
【特許文献４】特開平１０−５４３９７号公報  （第３図）
【発明の開示】
【発明が解決しようとする課題】
【０００６】
解決しようとする問題点は、着脱式水中ポンプにおいて、軽量化されたポンプであっても、駆動時における吐出圧の反力で当接面にズレを生じることなく、水漏れのおそれがない機構を提供することである。
【課題を解決するための手段】
【０００７】
本発明では、着脱式水中ポンプの駆動時において当接面のズレに基因する水漏れを生じさせないため、吐出導管の連接口のフランジ背面を上傾状の傾斜面となし、該傾斜面における上下方向および左右方向に離隔した位置にそれぞれ当接座を配設し、ポンプ吐出口の上方より導出され左右に分岐して前記フランジ背面の左右上方から下方部まで導下された二股状ガイドフックを有し、該二股状ガイドフック裏面を前記フランジ背面の上傾状傾斜面と対向する下傾状の傾斜面となし、該下傾状傾斜面の上下両端部には前記各当接座と対向する摺接部をそれぞれ配設し、且つ、各当接座もしくは各摺接部のいずれか一方又は双方を鉛直面構成となし、各当接座と各摺接部との接触時において上傾状傾斜面と下傾状傾斜面との対向面間に僅かな間隙を保有した状態により、吐出導管の連接口とポンプ吐出口とが当接されるよう構成したことを最も主要な特徴とする。
【発明の効果】
【０００８】
本発明機構によれば、ポンプ駆動時における吐出圧の反力により当接面を引き離そうとする力がフランジ背面の上下左右に形成された各当接座と、二股状ガイドフック裏面の上下に形成された各摺接部とが接触しているため、上記当接面は上下左右何れの方向にもズレず、ポンプ本体部分の傾きは抑止され従って水漏れを生じることはない。そして上記各当接座と摺接部との接触が鉛直面構成のもとでなされるため、従来のようにガイドフックが斜面を摺り上がってポンプ吐出口と連接口との孔心にズレを生じるおそれもない。また、上記各当接座と各摺接部との接触部分以外におけるフランジ背面の上傾状傾斜面と二股状ガイドフック裏面の下傾状傾斜面との対向面間には、僅かな間隙が保有されて非接触の構造となっており、傾斜面には力が一切作用しないためガイドフックは傾斜面を摺り上がらない。更に、当接座が上下左右に離隔されているのでその接触面積は僅かであり、摺動時の摩擦抵抗は極めて小さく、そのため着脱操作が極めて円滑に行われるという利点がある。
【発明を実施するための最良の形態】
【０００９】
連接口のフランジ背面を上傾状の傾斜面となし、該傾斜面における上下方向および左右方向に離隔した隅角部の4箇所にそれぞれ鉛直状の当接座を配設し、ポンプ吐出口の上方より導出され左右に分岐して前記フランジ背面の左右上方から下方部まで導下された二股状ガイドフックを有し、該二股状ガイドフック裏面を前記フランジ背面の上傾状傾斜面と対向する下傾状の傾斜面となし、該下傾状傾斜面の上下両端部には前記各当接座と対向する鉛直状の摺接部をそれぞれ配設し、各当接座と各摺接部との接触時において上傾状傾斜面と下傾状傾斜面との対向面間に僅かな間隙を保有した状態により、吐出導管の連接口とポンプ吐出口とが当接させるよう構成する。
【実施例１】
【００１０】
１は側開型に開口されたポンプ吐出口、２はポンプ吐出口１に付設された補助シール材であり、必ずしも図１および図２に例示されているような反転作動形式のものに限られることはなく、例えば特開平８−２００２７８号に示されているような押接形式ものでもよい。３は吐出導管の槽内固定部（着脱ベンド）４に開設された側開型の連接口、５は連接口３のフランジ、６はフランジ５の背面に形成された上傾状の傾斜面であり、図３に示すよう該傾斜面６における上下方向および左右方向に離隔した隅角部の４箇所にそれぞれ当接座７・・７が配設されている。８はポンプ吐出口１の上方より導出され左右に分岐してフランジ５の背面の左右上方から下方部まで導下された二股状ガイドフックであり、該二股状ガイドフック８裏面は前記フランジ５背面の上傾状傾斜面６と対向する下傾状の斜面９，９となし、該下傾状傾斜面９，９の上下両端面には図４に示すよう前記各当接座７・・７と対向する摺接部１０・・１０がそれぞれ配設されている。そして各当接座７・・７もしくは各摺接部１０・・１０のいずれか一方を鉛直面構成とし、または各当接座７・・７および各摺接部１０・・１０の双方を鉛直面構成とする。なお、各当接座７・・７を鉛直面構成とした場合には各摺接部１０・・１０を凸子状とし、各摺接部１０・・１０を鉛直面構成とした場合には各当接座７・・７を凸子状として、両者間の接触面積を極力小さくすることが望ましい。そして各当接座７・・７と各摺接部１０・・１０との接触時において上傾状傾斜面６と下傾状傾斜面９との対向面間に僅かな間隙ｇを保有した状態により、吐出導管の連接口３とポンプ吐出口１とが当接するのである。
【００１１】
図１および図５の当接状態によりポンプが駆動すると、吐出圧の反力により当接面を引き離そうとする力が生じるが、フランジ５の背面の上下左右に形成された当接座７・・７と、左右二股状ガイドフック８，８の各上下両端部裏面に形成された摺接部１０・・１０とが接触していることにより、上記当接面は上下左右何れの方向にもズレず、ポンプ本体部分１１の傾きは抑止され、従って水漏れを生じることはない。そして上記各当接座７・・７と各摺接部１０・・１０との接触が鉛直面構成のもとでなされるため、従来のようにガイドフックが斜面を摺り上がるというおそれもないので、ポンプ吐出口１と連接口３との孔心にズレを生じるおそれもない。また、上記各当接座７・・７と各摺接部１０・・１０との接触部分以外におけるフランジ５背面の上傾状傾斜面６と二股状ガイドフック８裏面の下傾状傾斜面９との対向面間には僅かな間隙ｇが保有されており、傾斜面には力が一切作用しないためガイドフックは傾斜面を摺り上がらない。更に、着脱作業時における摩擦抵抗も極めて小さなものとなる。
【実施例２】
【００１２】
本発明の実施において、フランジ５の背面の上傾状傾斜面６における当接座７は、上記上傾状傾斜面６の上方部で左右方向に連なる当接座７と、下方部では左右両端方向に離隔する当接座７・・７との３箇所配設態様であってもよい。そして各当接座７・・７と各摺接部１０・・１０との接触時において上傾状傾斜面６と下傾状傾斜面９との対向面間に僅かな間隙ｇを保有した状態により、吐出導管の連接口３とポンプ吐出口１とが当接されることについては、実施例１の場合と同じであり、その他の作用効果については実施例１の場合に準ずるものである。
【実施例３】
【００１３】
本発明の実施において、二股状ガイドフック８の裏面における下傾状傾斜面９に形成される摺接部は、上記下傾状傾斜面９の上端部で左右方向に連なるように形成された摺接面１０と、左右両下端部にそれぞれ形成された摺接部１０，１０とからなり、これら各摺接部１０・・１０と各当接座７・・７との接触時において上傾状傾斜面６と下傾状傾斜面９との対向面間に僅かな間隙ｇを保有した状態により、吐出導管の連接口３とポンプ吐出口１とが当接されることについては、実施例１および実施例２の場合と同じであり、その作用効果についても実施例１および実施例２の場合に準ずるものである。
【図面の簡単な説明】
【００１４】
【図１】本発明機構の要部縦断側面図であって、ポンプ吐出口と連接口とを当接させた態様を示す。
【図２】本発明機構の要部縦断側面図であって、ポンプ吐出口と連接口とを分断させた態様を示す。
【図３】本発明機構における連接口のフランジの背面図である。
【図４】本発明機構におけるガイドフックの裏面図である。
【図５】本発明機構を備えた着脱式水中ポンプの要部縦断側面図である。
【符号の説明】
【００１５】
１      ポンプ吐出口
２      補助シール材
３      連接口
４      吐出導管の槽内固定部
５      フランジ
６      上傾状傾斜面
７      当接座
８      ガイドフック
９      下傾状傾斜面
１０      摺接部
ｇ      僅かな間隙
【図１】
0004646507.tif 000002
【図２】
0004646507.tif 000003
【図３】
0004646507.tif 000004
【図４】
0004646507.tif 000005
【図５】
0004646507.tif 000006